(57)【要約】
【目的】 筆記部をノック式に出没操作するボールペンなどの筆記軸頂端部に取付ける附属キャラクター部材を、ノック操作を利用して出没させて意外性ある変化を実現することを提案する。
【構成】 筆記部１０をノック操作によって出没操作するボールペンなどの筆記用具１において、附属キャラクター部材４の取付構造部２が、１本の直径を中心軸５として回転する円板部材３、円板部材３の回転が阻害されないように規制された回転空間部８、筆記部１０のノック操作による上下運動により円板部材３を回転させる回転運動伝達部１４で構成され、円板部材３の片面側に円板部材３が回転動作してもその回転領域をはみ出さない大きさに規制した附属キャラクター部材４を取付けることで、円板部材３の片面側を露出時には附属キャラクター部材４が観察可能であるが、他面側を露出時には附属キャラクター部材４が観察不可能となる。
【選択図】 図１
0003101101.tif 000002
【実用新案登録請求の範囲】
【請求項１】
筆記部をノック操作によって出没操作するボールペンやシャープペンシルといった筆記用具において、筆記軸頂端側に位置する附属キャラクター部材の取付構造部が、１本の直径を中心軸として回転するように取付けられた円板部材、該円板部材の回転が阻害されないように規制された回転空間部、筆記部のノック操作による上下運動を利用して円板部材を回転させる回転運動伝達部により構成され、円板部材の片面側に該円板部材が１本の直径を中心軸とした回転動作をしてもその回転領域をはみ出すことのない大きさに規制した附属キャラクター部材を固定して取付けていることで、円板部材の片面側を露出している時には附属キャラクター部材が観察可能であるが、他面側を露出している時には附属キャラクター部材が観察不可能となることを特徴とする附属キャラクター部材が回転して出没するノック操作式筆記用具。
【請求項２】
附属キャラクター部材の形状は寿司ねたを模したものであり、附属キャラクター部材の取付構造部の外観形状が複数枚の皿を積重ねた状態を模したものであることを特徴とする請求項１に記載の附属キャラクター部材が回転して出没するノック操作式筆記用具。
【考案の詳細な説明】
【技術分野】
【０００１】
本考案は、筆記部をノック式に出没操作するボールペンやシャープペンシルなどの筆記用具の筆記軸頂端部に取付ける附属キャラクター部材を、ノック操作を利用して出没させて意外性ある変化を実現することを提案するものである。
【背景技術】
【０００２】
筆記部をノック式操作で出没させて使用するボールペンやシャープペンシルなどの筆記用具は様々に実現されている。このような筆記用具は、より需要者の美観や趣味性などを反映した商品とするために、形状デザインや色彩の多様な工夫を凝らし、また、筆記作業の邪魔にならない範囲で筆記軸頂端などに各種の立体的キャラクターなどを取付けてコレクション性なども高めるような配慮がなされている。
【０００３】
このような立体的キャラクターについては、可動部を設けてその動きを楽しめるようにしたり、さらにその可動部を筆記部出没操作のためのノック式動作を利用して実現するものなどが実現され普及している。
【特許文献１】実願２００２−７３２６号の登録公報
【考案の開示】
【考案が解決しようとする課題】
【０００４】
解決しようとする問題点としては、以下の如きが考えられる。
すなわち、上記したような従来のノック操作式筆記用具においては、デザインや色彩に多様なヴァリエーションを提供するとしても既に多種多様なものが実際に市場に出回っているので、際立った目新しさを持った新商品を開発することは困難である。
【０００５】
また、附属キャラクターに可動部分を設けて動きによって変化を持たせるとしても、可動変化の面白さの種類も既に多くが実現されており、従来にない動きの変化を提案することは容易なことではない。
【０００６】
そこで、この種の筆記用具の需要者に対して新たな興味を抱かしめる従来にない動きなどを実現した新提案が要求されているところである。
【課題を解決するための手段】
【０００７】
本考案は、上記したような従来技術における課題を解消することについて、実験と検討を繰り返し行い創案されたものであって、ノック式筆記用具の筆記軸頂端に取付けた附属キャラクターの可動変化がそのキャラクター自身を出現させたり消滅させるという新たな動作を実現できるようにその構成を提案するものであって、具体的には以下の如くである。
【０００８】
（１）  筆記部をノック操作によって出没操作するボールペンやシャープペンシルといった筆記用具において、筆記軸頂端側に位置する附属キャラクター部材の取付構造部が、１本の直径を中心軸として回転するように取付けられた円板部材、該円板部材の回転が阻害されないように規制された回転空間部、筆記部のノック操作による上下運動を利用して円板部材を回転させる回転運動伝達部により構成され、円板部材の片面側に該円板部材が１本の直径を中心軸とした回転動作をしてもその回転領域をはみ出すことのない大きさに規制した附属キャラクター部材を固定して取付けていることで、円板部材の片面側を露出している時には附属キャラクター部材が観察可能であるが、他面側を露出している時には附属キャラクター部材が観察不可能となることを特徴とする附属キャラクター部材が回転して出没するノック操作式筆記用具。
【０００９】
（２）  附属キャラクター部材の形状は寿司ねたを模したものであり、附属キャラクター部材の取付構造部の外観形状が複数枚の皿を積重ねた状態を模したものであることを特徴とする前記（１）項に記載の附属キャラクター部材が回転して出没するノック操作式筆記用具。
【実施例】
【００１０】
上記した本考案の具体的な実施形態の若干例についてを添付図面に示すところに従って説明すると以下のとおりである。
【００１１】
すなわち、図１は、本考案のノック式筆記用具１の筆記軸頂端部に取付けられた附属キャラクター取付構造部２における円板部材３の回転動作する関係を側面からの透視図的に示して説明するものである。
【００１２】
この図１では、附属キャラクター部材４として所謂回転寿司の寿司ネタ形状を採用する場合に基づいて説明している。この寿司ネタの形状を利用した附属キャラクター４は取付構造部２の頂部に回転動作するように取付けられる円板部材３の上に載せた状態で固定される。ここでの円板部材３の回転動作は円板の中心点を回転軸の中心とするものではなく、円板部材３の１本の直径線を中心軸５として実現される図示の如き回転動作である。
【００１３】
すなわち、中心軸５の両端には円板部材３の円周縁から突部６が突き出していて、取付構造部２に形成された凹部７が突部６を受入支持するようになっており、さらに取付構造部２には円板部材３が中心軸５を中心として回転してもその動作が阻害されないように大きさや形状を規制した回転空間部８が形成されている。したがって、片面側を露出した円板部材３が中心軸５を中心として半回転すると他面側が露出し、さらに半回転すると当初の片面側露出状態が回復するといった回転動作が実現される。
【００１４】
このような円板部材３の回転動作は、本考案のノック式筆記用具１の筆記部９を出没操作するノック式操作部１０のノック操作によってもたらされる筆記部９の上下動作を利用して行う。すなわち、この上下動作はアーム部１１によって取付構造部２内に伝達され、アーム部１１先端の爪部１２が中心軸５に対して同心円状に取付けられた回転ギア１３と噛み合わされることで、アーム部１１の上下動作が回転ギア１３の回転動作に変換されるものである。したがって、このアーム部１１と回転ギア１３とにより成る回転運動伝達部１４の働きで、ノック式操作部１０に起因する上下動作は円板部材３が中心軸５を中心として行う回転運動とされるものである。
【００１５】
ノック操作による円板部材３の回転動作の程度は、例えば、筆記部９の出没のために一回のノック操作を行うことによって１８０°回転が実現され、片面側露出から他面側露出となる（円板部材３がちょうど裏返しになる）ようにすることが望ましい。つまり、片面側に載置して取付けた寿司タネ形状の附属キャラクター部材４が１回のノック操作によって円板部材３が裏返って視覚的に消失するように見える動きが実現するものである（図１（ｆ）（ｇ）に点線で示すように附属キャラクター部材４は回転空間部８に収容されてしまう）。
【００１６】
また、ノック操作を終了してノック式操作部１０から利用者が手を離すと取付構造部２に内蔵したスプリング１５の働きによって円板部材３の裏返った状態が元の状態に復帰して再び寿司ネタ形状の附属キャラクター部材４が視覚的に現れるように構成しておくことも可能である。
【００１７】
取付構造部２の頂部に形成される円形の平面部分は円板部材３とその周囲の円形縁部１６により構成されるもので、両者を併せて回転寿司を載せるお皿形状を模したものが出来上がるようになっている。したがって、上記のような動作が実現するので、利用者は、本考案の筆記用具１について筆記部９の出没操作をノック式操作部１０によって繰り返すことで、お皿の上の寿司タネ形状附属キャラクター部材４が消滅したり現れたりする不思議な動作を楽しむことができる。
【００１８】
また、寿司タネ形状の附属キャラクター部材４の形状や大きさは、上記してきた円板部材３の回転動作を妨げることがないようにすべきであるから、中心軸５を中心とした円板部材３の回転動作の回転領域内からはみ出すことがないように規制する。このような規制範囲内であれば附属キャラクター部材４の大きさや形状は任意に選択して構わない。
【００１９】
図２は、上記したような本考案の筆記用具１の外観ヴァリエーション（附属キャラクター部材４として寿司ネタ形状を採用する場合）を示したものである（図２（ｅ）は附属キャラクター部材４が見えなくなった状態を示す）。附属キャラクター部材４の形状を寿司ネタを模したものとするだけでなく、取付構造部２の外観形状としても適宜なキャラクター的形状を利用する構成を採用する場合を示したものである。このような構成とすることで、回転空間部８を形成するために必要とされる部分を回転寿司用のお皿が積重なった状態（図示では６枚のお皿）の外観形状とされ、この回転空間部８の存在を違和感のないものとしてデザイン構成することができる。
【００２０】
もちろん、附属キャラクター４を載せた円板部材３の回転動作が円滑に実現するのであれば、本考案の筆記用具１の外観ヴァリエーションは図示のものに限定されるわけではない。図示の場合は、寿司ネタ形状の附属キャラクター部材４とお皿を積重ねた状態の取付構造部２について説明したが、これらの外観形状についても多様な応用が可能である。
【００２１】
以上説明したような本考案によるならば、筆記用具へのノック式操作を利用して様々な形状の附属キャラクター部材が隠れたり現れたりするという従来にない新しい可動変化として実現することができ、意外性があると共にユーモア感覚に溢れた商品展開などを考えることができ、利用者に新たな需要を喚起する考案であって、工業的にその価値が高いものである。
【図面の簡単な説明】
【００２２】
【図１】本考案の附属キャラクター取付構造部における円板部材やそれに載置固定した寿司タネ形状の附属キャラクターの回転動作を透視図的に説明する図面である。
【図２】本考案による筆記用具の外観ヴァリエーションの若干例を示した説明図面である。
【符号の説明】
【００２３】
１ 本考案の筆記用具
２  附属キャラクターの取付構造部
３  円板部材
４  附属キャラクター部材
５  中心軸
６  突部
７  凹部
８  回転空間部
９  筆記部
１０  ノック式操作部
１１  アーム部
１２  爪部
１３  回転ギア
１４  回転運動伝達部
１５  スプリング
１６  円形
【図１】
0003101101.tif 000003
【図２】
0003101101.tif 000004